(57)【要約】【課題】  ティッシュペーパーを取出すための取出口を形成した際に、取出口周縁に発生する紙の毛羽が目立ち難く見栄えのよい取出口を形成することができる取出口形成手段を備えたティッシュペーパー収納箱を提供することである。【解決手段】  取出口形成手段が設けられたティッシュペーパー収納箱において、前記取出口形成手段は内側ミシン目と外側ミシン目とからなる二重ミシン目が前記内側ミシン目が相対するように上面の対向する位置に設けられてなり、前記内側ミシン目と前記外側ミシン目との間隔が０．３５ｍｍ〜０．７０ｍｍであって、前記内側ミシン目はその切線部長さが１．５ｍｍ〜４．０ｍｍ、繋ぎ部長さが０．５ｍｍ〜１．５ｍｍからなり、前記外側ミシン目は前記内側ミシン目の前記繋ぎ部長さ及び切線部長さにそれぞれ略対応する切線部長さ及び繋ぎ部長さを有していることを特徴とするティッシュペーパー収納箱。【選択図】        図１
2005082175.tif 000002
【特許請求の範囲】
【請求項１】
ティッシュペーパーを重畳状態で収納すると共に、一つの面にティッシュペーパーを取出す取出口を形成するための取出口形成手段が設けられたティッシュペーパー収納箱において、前記取出口形成手段は千鳥状に配置された内側ミシン目と外側ミシン目とからなる少なくとも二重ミシン目を有すると共に前記二重ミシン目は前記内側ミシン目が相対するように前記上面の対向する位置に設けられ、前記内側ミシン目と前記外側ミシン目との間隔が０．３５ｍｍ〜０．７０ｍｍであって、前記内側ミシン目はその切線部長さが１．５ｍｍ〜４．０ｍｍ、繋ぎ部長さが０．５ｍｍ〜１．５ｍｍからなり、前記外側ミシン目は前記内側ミシン目の前記繋ぎ部長さに略対応する切線部長さおよび前記内側ミシン目の切線部長さに略対応する繋ぎ部長さを有していると共に、前記内側ミシン目の切線部長さが繋ぎ部長さの２倍以上であることを特徴とするティッシュペーパー収納箱。
【請求項２】
前記内側ミシン目と前記外側ミシン目との間隔が０．３５ｍｍ〜０．４５ｍｍであることを特徴とする請求項１記載のティッシュペーパー収納箱。
【請求項３】
前記内側ミシン目はその切断部長さが２．０ｍｍ〜３．０ｍｍであることを特徴とする請求項１、２のいずれかに記載のティッシュペーパー収納箱。
【発明の詳細な説明】
【技術分野】
【０００１】
本発明は、ティッシュペーパーを重畳状態で収納するティッシュペーパー収納箱に関し、さらに詳しくは、収納箱の一つの面に設けられるティッシュペーパー取出口を形成するための取出口形成手段に特徴を有するティッシュペーパー収納箱に関するものである。
【背景技術】
【０００２】
ティッシュペーパー収納箱は、内部に重畳されたティッシュペーパーを収納し、使用に際しては上面に設けた取出口よりティッシュペーパーを１枚ずつ、あるいは、２ないし３枚を一組として連続的に取出すことができるように構成されている。収納箱の形状としては一般的には直方体形状であって、使用時に上面に形成された、たとえば、環状のミシン目と該ミシン目の内側に設けられた指先挿入部とからなる取出口形成手段の前記指先挿入部に指先を挿入して取出口となる部分を摘んで環状のミシン目に沿って開封片を切取ることにより環状の取出口が形成されるようになっている。
【０００３】
このようなティッシュペーパー収納箱は、開封片を切取った後の環状の取出口に対して様々な提案がなされている。その一つの提案としては、前記開封片を切取った際に、前記取出口の周縁が紙剥けすることのない美麗で、かつ、手触りのよい周縁を形成することができるティッシュペーパー収納箱の提案である（たとえば、特許文献１参照）。
【０００４】
この特許文献１に開示された技術は、環状のミシン目を内側ミシン目と該内側ミシン目の外側近傍に設けた外側ミシン目の二重ミシン目で構成し、それぞれのカット部間隔を狭く、かつ、それぞれのカット部が千鳥状となるように配置することにより、上記目的を達成するものである。
【０００５】
また、別の提案としては、上記した特許文献１の収納箱の問題点、すなわち、硬質の鉱物質塗工剤で塗工した厚紙からなる収納箱の場合に、取出口の周縁部分で指を傷付ける虞があるという問題を解消するティッシュペーパー収納箱の提案である（特許文献２参照）。
【０００６】
この特許文献２に開示された技術は、内側ミシン目と外側ミシン目とが千鳥状に配置された二重ミシン目の前記内側ミシン目のカット部の端と該カット部の端に最も近接した前記外側ミシン目のカット部の端とを結ぶ直線と前記内側ミシン目との内角が鈍角となるように構成することにより、取出口の周縁部分で指を傷付けることを防止するものである。
【０００７】
しかしながら、いずれの文献に記載のティッシュペーパー収納箱も、指先挿入部に指先を挿入して取出口となる部分を摘んで二重ミシン目に沿って引裂くと、内側ミシン目と外側ミシン目間のカット部分を交互に行き来しながら切断されることになるが、特に内側ミシン目と外側ミシン目の間隔が０．５ｍｍ以上で構成されることと、これに加えて内側ミシン目のカット部分の長さが１．５ｍｍ以下と小さいことも相俟って、引裂き抵抗が大きくて引裂き難いといった問題や、特に図４に示すように内側ミシン目ＵＭと外側ミシン目ＳＭとの間は、紙を引き千切ることになり、引き千切られて発生した紙の毛羽Ｋが取出口の内側に露出して残り見栄えが悪いといった問題があった。
【特許文献１】特開平８−１０４３７８号公報
【特許文献２】特開２００１−２１９９８０号公報
【発明の開示】
【発明が解決しようとする課題】
【０００８】
そこで本発明の第１の目的とするところは、ティッシュペーパーを取出すための取出口を形成した際に、取出口周縁に発生する紙の毛羽が目立ち難く見栄えのよい取出口を形成することができる取出口形成手段を備えたティッシュペーパー収納箱を提供することであり、第２の目的とするところは、取出口を形成する際の引裂き抵抗が小さく、かつ、引裂くという意識操作をしない限りにおいては不可効力で切断し難い取出口形成手段を備えたティッシュペーパー収納箱を提供することである。
【課題を解決するための手段】
【０００９】
本発明者は、上記課題を達成するために、請求項１記載の本発明は、ティッシュペーパーを重畳状態で収納すると共に、一つの面にティッシュペーパーを取出す取出口を形成するための取出口形成手段が設けられたティッシュペーパー収納箱において、前記取出口形成手段は千鳥状に配置された内側ミシン目と外側ミシン目とからなる少なくとも二重ミシン目を有すると共に前記二重ミシン目は前記内側ミシン目が相対するように前記上面の対向する位置に設けられ、前記内側ミシン目と前記外側ミシン目との間隔が０．３５ｍｍ〜０．７０ｍｍであって、前記内側ミシン目はその切線部長さが１．５ｍｍ〜４．０ｍｍ、繋ぎ部長さが０．５ｍｍ〜１．５ｍｍからなり、前記外側ミシン目は前記内側ミシン目の前記繋ぎ部長さに略対応する切線部長さおよび前記内側ミシン目の切線部長さに略対応する繋ぎ部長さを有していると共に、前記内側ミシン目の切線部長さが繋ぎ部長さの２倍以上であることを特徴とするものである。このように構成することにより、ティッシュペーパーを取出すための取出口を形成した際に、前記取出口周縁の紙の毛羽の発生が少なくて目立ち難くすることができ、見栄えのよい取出口を形成することができる取出口形成手段を備えたティッシュペーパー収納箱とすることができると共に取出口を形成する際の引裂き抵抗を小さくすることができ、小さい力で引裂いて取出口を形成することができる取出口形成手段を備えたティッシュペーパー収納箱とすることができる。
【００１０】
また、請求項２記載の本発明は、請求項１記載のティッシュペーパー収納箱において、前記内側ミシン目と前記外側ミシン目との間隔が０．３５ｍｍ〜０．４５ｍｍであることを特徴とするものである。このように構成することにより、前記取出口周縁の紙の毛羽の発生を一層少なくすることができ、紙の毛羽の一層目立ち難い見栄えのよい取出口を形成することができる取出口形成手段を備えたティッシュペーパー収納箱とすることができる。
【００１１】
また、請求項３記載の本発明は、請求項１、２のいずれかに記載のティッシュペーパー収納箱において、前記内側ミシン目はその切断部長さが２．０ｍｍ〜３．０ｍｍであることを特徴とするものである。このように構成することにより、引裂くという意識操作をしない限りにおいては不可抗力で切断が生じ難い取出口形成手段を備えたティッシュペーパー収納箱とすることができる。
【発明の効果】
【００１２】
本発明は、請求項１〜３のいずれかに記載の構成からなるティッシュペーパー収納箱とすることにより、ティッシュペーパーを取出すための取出口を形成した際に、取出口周縁に発生する紙の毛羽が目立ち難く見栄えのよい取出口を形成することができるという優れた効果を奏する。また、取出口を形成する際に小さい力で引裂いて取出口を形成することができると共に取出口形成手段の不可抗力による切断も生じ難いという優れた効果を奏する。
【発明を実施するための最良の形態】
【００１３】
上記の本発明について、図面等を用いて以下に詳述する。
図１は本発明にかかるティッシュペーパー収納箱の一実施例を概略的に示す斜視図、図２は取出口形成手段の一実施例を示す要部拡大平面図、図３は本発明にかかる二重ミシン目の形成に用いるミシン刃の一実施例を示す図、図４は従来のティッシュペーパー収納箱に形成した取出口を図解的に示す要部拡大平面図であり、図中の１はティッシュペーパー収納箱、２は取出口形成手段、２Ａは二重ミシン目、２Ｂ，２Ｂ’，２Ｃ，２Ｃ’は切線、２Ｄ，２Ｄ’は折罫、２０，ＵＭは内側ミシン目、２１，ＳＭは外側ミシン目、Ｊは収納箱の上面、Ｋは紙の毛羽、ｓは内側ミシン目の切線部長さ、ｔは内側ミシン目の繋ぎ部長さ、ｈは内側ミシン目と外側ミシン目との間隔をそれぞれ示す。
【００１４】
図１は本発明にかかるティッシュペーパー収納箱の一実施例を概略的に示す斜視図であって、ティッシュペーパー収納箱１は直方体形状からなり、その上面Ｊに取出口形成手段２が形成されている。前記取出口形成手段２は前記上面Ｊの中央部の対向する位置に長手方向に略平行に設けられた二重ミシン目２Ａ、２Ａからなる引裂部と、該二重ミシン目２Ａ、２Ａの両端にこの両端からそれぞれ互いに乖離するように延びる切線２Ｂ、２Ｂ’と該切線２Ｂ間および２Ｂ’間に跨設された略Ｕ字状切線２Ｃ、２Ｃ’と前記二重ミシン目２Ａ、２Ａの両端を繋ぐ折罫２Ｄ、２Ｄ’とからなる指先挿入部で構成される。いずれか一方の指先挿入部、たとえば、切線２Ｃの部分に指を挿入して切線２Ｃと切線２Ｂと折罫２Ｄで囲まれた領域を手指で摘んで二重ミシン目２Ａ、２Ａに沿って引裂いて前記二重ミシン目２Ａと切線２Ｂ、２Ｂ’と切線２Ｃ、２Ｃ’とで囲まれる領域を開封片として取除くことによりティッシュペーパー取出口となる。なお、前記指先挿入部は前記二重ミシン目２Ａ、２Ａに対して対称に形成されている。
【００１５】
図２は取出口形成手段の一実施例を示す要部拡大平面図であって、前記取出口形成手段２の前記二重ミシン目２Ａは内側ミシン目２０と外側ミシン目２１とからなり、前記内側ミシン目２０と前記外側ミシン目２１とは千鳥状に配置されると共に前記内側ミシン目２０と前記外側ミシン目２１との間隔ｈが０．３５ｍｍ〜０．７０ｍｍ、好ましくは０．３５ｍｍ〜０．４５ｍｍとなるように構成されている。また、指先挿入部を形成する切線２Ｂの前記二重ミシン目２Ａ側の端部は前記二重ミシン目２Ａを構成する前記内側ミシン目２０の延長線上に位置するように形成されている。このように構成することにより、ティッシュペーパー取出口を形成するために指先挿入部から前記二重ミシン目２Ａ、２Ａに沿って引裂くと、前記切線２Ｂの前記二重ミシン目２Ａ側の端部から前記外側ミシン目２１、前記内側ミシン目２０と交互に行き来しながら切断されることになるが、前記内側ミシン目２０と前記外側ミシン目２１との間隔ｈが０．３５ｍｍ〜０．７０ｍｍ、好ましくは０．３５ｍｍ〜０．４５ｍｍとなるように構成されている効果により、前記内側ミシン目２０から前記外側ミシン目２１、あるいは、前記外側ミシン目２１から前記内側ミシン目２０へと紙を引き千切る切断部において、紙を引き千切ることにより発生する紙の毛羽Ｋ（図４参照）を極めて少なくすることができるために、ミクロ的にみれば紙の毛羽は発生しているもののマクロ的には見ることができない程度となるために、前記二重ミシン目２Ａを引裂くとにより形成されたティッシュペーパー取出口は極めて見栄えのよい周縁を有する取出口とすることができる。前記内側ミシン目２０と前記外側ミシン目２１との間隔ｈが０．３５ｍｍ未満では、不可抗力で切断する虞があり、０．７０ｍｍ超では紙の毛羽が目に見える程度に発生し、ティッシュペーパー取出口周縁の見栄えが悪くなる。
【００１６】
また、前記二重ミシン目２Ａの前記内側ミシン目２０の切断部長さｓを１．５ｍｍ〜４．０ｍｍ、好ましくは２．０ｍｍ〜３．０ｍｍとし、繋ぎ部長さｔを０．５ｍｍ〜１．５ｍｍとし、前記外側ミシン目２１の切断部長さを前記内側ミシン目２０の繋ぎ部長さｔに略対応する長さおよび前記外側ミシン目２１の繋ぎ部長さを前記内側ミシン目２０の切断部長さｓに略対応する長さとすると共に前記内側ミシン目２０の切断部長さｓを前記繋ぎ部長さｔの２倍以上となるように構成することにより、ティッシュペーパー取出口を形成する際に小さい力で引裂いて取出口を形成することができると共に不可抗力による前記二重ミシン目２Aの切断も防止することができる。
【００１７】
次に、前記二重ミシン目２Ａの形成方法について説明する。前記二重ミシン目２Ａの形成方法としては、たとえば、（株）ナカヤマ製の上記した切断部長さと繋ぎ部長さを備えた図３（ａ）に示すセンター刃と図３（ｂ）に示す片切刃とを組付けたミシン刃を打抜型にセットしてティッシュペーパー収納箱をその展開形状に打抜く際に同時に形成すればよいものである。なお、図３（ａ）に示すセンター刃と図３（ｂ）に示す片切刃とを組付けたミシン刃のセンター刃と片切刃との間隔は０．４５ｍｍとなる。また、前記センター刃で前記内側ミシン目２０を形成し、前記片切刃で前記外側ミシン目２１を形成することが紙の毛羽の発生を極めて少なくする要点である。また、前記内側ミシン目２０と前記外側ミシン目２１との間隔は、前記センター刃および／ないし前記片切刃の厚さを適宜選択すればよいものである。また、本発明のティッシュペーパー収納箱に用いる用紙としては、一般に紙箱用として用いられているコートボール紙が適当であり、その坪量としては箱の大きさ、内容量等を勘案して２３０〜５５０ｇ／ｍ2のものから適宜選択して用いればよいものである。
【００１８】
ところで、今までの説明においては、二重ミシン目２Ａを略平行に設けたものを例に挙げて説明したが、これは本発明の理解を助けるために例示したものであってこれに限るものではなく、本発明の趣旨を逸脱しない範疇のもの、たとえば、図示はしないが、特許文献１に記載されたような中央部が広くなるように緩やかな円弧状に形成されたものであってもよいものであるし、また、指先挿入部の構成についても例示したものに限るものではなく、要するに取出口を形成するための指を挿入して開封片を摘むことができるものであればよいものである。また、本発明の取出口形成手段は、ティッシュペーパー収納箱に設けるのみならず、たとえば、スナック食品等を収納する扁平な直方体状の紙箱を開封するジッパーとして用いてもよいものである。
【図面の簡単な説明】
【００１９】
【図１】本発明にかかるティッシュペーパー収納箱の一実施例を概略的に示す斜視図である。
【図２】取出口形成手段の一実施例を示す要部拡大平面図である。
【図３】本発明にかかる二重ミシン目の形成に用いるミシン刃の一実施例を示す図である。
【図４】従来のティッシュペーパー収納箱に形成した取出口を図解的に示す要部拡大平面図である。
【符号の説明】
【００２０】
１                            ティッシュペーパー収納箱
２                            取出口形成手段
２Ａ                          二重ミシン目
２Ｂ，２Ｂ’，２Ｃ，２Ｃ’    切線
２Ｄ，２Ｄ’                  折罫
２０，ＵＭ                    内側ミシン目
２１，ＳＭ                    外側ミシン目
Ｊ                            収納箱の上面
Ｋ                            紙の毛羽
ｓ                            内側ミシン目の切線部長さ
ｔ                            内側ミシン目の繋ぎ部長さ
ｈ                            内側ミシン目と外側ミシン目との間隔
【図１】
2005082175.tif 000003
【図２】
2005082175.tif 000004
【図３】
2005082175.tif 000005
【図４】
2005082175.tif 000006